(57)【要約】【課題】内容物の注出量を適宜に調整できるトリガ式注出器を提案する。【解決手段】内容物を充填した容器の口部につながる吸引通路及びこの吸引通路を通して導入された内容物を加圧して排出する排出通路を有するシリンダと、このシリンダ内にて摺動するピストンと、枢支ピンを支点にして牽曳可能に保持されその作用点をピストンの後端部に係合させたトリガからなる注出器において、前記注出器に、ピストンの後端面に接触して該ピストンのシリンダ内における移動量を規制して内容物の注出量を変更する注出量調整手段を設ける。【選択図】　　　　図１
2004082051.tif 000002
【特許請求の範囲】
【請求項１】
内容物を充填した容器の口部につながる吸引通路及びこの吸引通路を通して導入された内容物を加圧して排出する排出通路を有するシリンダと、このシリンダ内にて摺動するピストンと、枢支ピンを支点にして牽曳可能に保持されその作用点をピストンの後端部に係合させたトリガとを備え、
前記注出器に、ピストンの後端面に接触して該ピストンのシリンダ内における移動量を規制して内容物の注出量を変更する注出量調整手段を設けたことを特徴とするトリガ式注出器。
【請求項２】
注出量調整手段が、注出器本体にねじ止めされピストンの後端面を押圧するスクリューロッドからなる請求項１記載のトリガ式注出器。
【請求項３】
注出量調整手段が、注出器本体の基部に移動不能にロックされピストンの後端面を押圧する押圧ロッドからなる請求項１記載のトリガ式注出器。
【発明の詳細な説明】
【０００１】
【発明の属する技術分野】
本発明はレフィルタイプの容器やデラミタイプの容器内に充填された内容物をトリガの牽曳によって吸引、加圧して注出するトリガ式注出器に関するものであり、内容物の注出量を簡単な操作のもとで確実に調整しようとするものである。
【０００２】
【従来の技術】
接着剤等の日用品や毛染め液等の化粧料では、種類の異なる薬剤を、使用する直前に混合するタイプのものがあり、このような容器に充填された容器の注出に際しては、均一な混合と効率的な注出ができるようにポンプやエアゾール、あるいはトリガの牽曳によって内容物の混合と排出を行うガンタイプの注出器が使用されている。
【０００３】
ところで、従来のガンタイプの注出器は、トリガの一回当たりの牽曳によって注出される内容物の量は常に一定しており抽出量の調整ができないことから、内容物を無駄に消費してしまうこともあって、使い勝手がよくないところに問題を残している。
【０００４】
【発明が解決しようとする課題】
本発明の課題は、内容物の注出量を適宜に調整できる新規なトリガ式注出器を提案するところにある。
【０００５】
【課題を解決するための手段】
本発明は、内容物を充填した容器の口部につながる吸引通路及びこの吸引通路を通して導入された内容物を加圧して排出する排出通路を有するシリンダと、このシリンダ内にて摺動するピストンと、枢支ピンを支点にして牽曳可能に保持されその作用点をピストンの後端部に係合させたトリガとを備え、
前記注出器に、ピストンの後端面に接触して該ピストンのシリンダ内における移動量を規制して内容物の注出量を変更する注出量調整手段を設けたことを特徴とするトリガ式注出器である。
【０００６】
注出量調整手段は、注出器本体にねじ止めされピストンの後端面を押圧するスクリューロッドあるいは、注出器本体の基部に移動不能にロックされピストンの後端面を押圧する押圧ロッドにて構成することができる。
【０００７】
【発明の実施の形態】
以下、図面を用いて本発明をより具体的に説明する。
【０００８】
図１〜３は、本願発明に従うトリガ式注出器を２液混合タイプの例で示したものであり、図において１ａ、１ｂは種類の異なる内容物を充填した容器（薄肉で減容可能なレフィル容器等）、２は容器１ａ、１ｂを装着、保持する注出器本体である。この注出器本体２はグリップ２ａを有し容器１ａ、１ｂを装着、保持した状態で該容器１ａ、１ｂを覆い隠す揺動式のカバー２ｂを備えている。
【０００９】
また、３ａ、３ｂは注出器本体２内に設けられた一対のシリンダであり、このシリンダ３ａ、３ｂは容器１ａ、１ｂのそれぞれの口部につながる吸引通路４ａ、４ｂとこの吸引通路４ａ、４ｂを通して導入された内容物を加圧して排出する排出通路５を有している。
【００１０】
また、６は吸引通路４ａ、４ｂ及び排出通路５のそれぞれに配置された３点弁、７は排出経路５につながるノズル、８はノズル７の内側に配置され２種類の内容物を効率よく混合するスクリュ型のミキサー、９ａ、９ｂはシリンダ３ａ、３ｂ内にて摺動するピストン、１０は注出器本体２に設けられた枢支ピン２ｃを支点にして牽曳可能に保持されその作用点ｐをピストン９ａ、９ｂの後端部のピン１１ａ、１１ｂに係合させたトリガ、そして１２はピストン９ａ、９ｂの後端面に接触して該ピストン９ａ、９ｂのシリンダ内における移動量を調整して内容物の注出量を変更する注出量調整手段であり、この注出量調整手段１２は注出器本体２にねじ止めされるスクリューロッドにて構成することができる。
【００１１】
注出器本体２のグリップ２ａを把持してトリガ１０を複数回にわたり繰返し牽曳するとピストン９ａ、９ｂはシリンダ３ａ、３ｂ内にてそれぞれ同時に往復移動することとなり、これにより、容器１ａ、１ｂ内の内容物は吸引通路４ａ、４ｂを経てシリンダ３ａ、３ｂに吸引されるとともに、吸引された内容物はシリンダ３ａ、３ｂ内で加圧され、排出通路５、ミキサー８を経てノズル７の先端から連続的に注出されることになる。
【００１２】
上記の構成になる注出器において、注出量調整手段１２を回転させてノズル７に向けて移動させるとピストン９ａ、９ｂはシリンダ３ａ、３ｂ内においてノズル７に向けて押圧されることとなりこれによってトリガ１０の牽曳の際のピストン９ａ、９ｂの移動量は小さくなる（注出量が小）。
【００１３】
一方、注出量調整手段１２を逆回転させるとピストン９ａ、９ｂはシリンダ２内においてノズル５から離れる向きに移動することとなりこれによってトリガ１０を牽曳したときのピストン９ａ、９ｂの移動量は大きくなる（注出量が大）。
【００１４】
上掲図１〜３では、容器１としてレフィル容器を適用する場合を例として示したが、図４〜６に示すように容器１は内層が外層の内壁面より剥離して減容可能とするデラミ容器を用いることもできる。
【００１５】
また、本発明の実施の形態では、シリンダを２本有する２液混合タイプのトリガ式注出器に注出量調整手段を設けた場合を例として説明したが、当該注出量調整手段は単一のシリンダを備えた注出器あるいは３本以上のシリンダを備えた注出器に適用することも可能であり、シリンダの設置本数についてはとくに限定されない。
【００１６】
図７は注出量調整手段の他の構成例として、先に示した注出器本体２にねじ止めされるスクリューロッドに代えて配置することができる押圧ロッド１３である。この押圧ロッド１３は、その軸心に沿って延び注出器本体２の基部に予め設けられた係合突起２ｃの誘導下に該ロッド１３を移動可能に保持する溝１３ａと、この溝１３ａの縁部で押圧ロッド１３の周方向に切り欠かれ、該係合突起２ｃを嵌め込むことにより該ロッド１３を所定の位置でロックすることを可能とする複数の切り欠部１３ｂを有するものであり、このような構造になる押圧ロッド１３を適用することによっても上掲図１〜３に示したものと同様に、ピストン９ａ、９ｂの後端面に当接させることで該ピストン９ａ、９ｂの移動量を規制して内容物の注出量を調整することが可能になる。
【００１７】
【発明の効果】
本発明によれば、内容物の注出量を調整できるので内容物を無駄なく使用でき使い勝手が格段に改善される。
【図面の簡単な説明】
【図１】本発明に従う注出器の側面を示した図である。
【図２】図１の平面図である。
【図３】図１の正面図である。
【図４】本発明に従う注出器の他の実施の形態を示した図である。
【図５】図４の平面図である。
【図６】図４の正面図である。
【図７】注出量調整手段の他の構成例を示した図である。
【符号の説明】
１ａ　容器
１ｂ　容器
２　注出器本体
２ａ　グリップ
２ｂ　カバー
２ｃ　係合突起
３ａ　シリンダ
３ｂ　シリンダ
４ａ　吸引通路
４ｂ　吸引通路
５　排出通路
６　３点弁
７　ノズル
８　ミキサー
９ａ　ピストン
９ｂ　ピストン
１０　トリガ
１１ａ　ピン
１１ｂ　ピン
１２　注出量調整手段
１３　押圧ロッド
１３ａ　溝
１３ｂ　切り欠部
【図１】
2004082051.tif 000003
【図２】
2004082051.tif 000004
【図３】
2004082051.tif 000005
【図４】
2004082051.tif 000006
【図５】
2004082051.tif 000007
【図６】
2004082051.tif 000008
【図７】
2004082051.tif 000009